(57)【要約】  【課題】  様々な撮影方向から得られた映像に対して、撮影方向を利用者に認識させることができる表示制御装置を提供する。  【解決手段】  車両に設けられ車両の外部を撮影する撮影装置によって撮影された映像を表示装置に表示させる制御手段を備えた表示制御装置において、制御手段は、車両を表す自車画像３１を表示装置に表示させると共に、自車画像３１の表示位置に対して、車両に対する撮影装置の撮影方向に応じて定まる方向に映像３２を表示させる。【選択図】  図８
2006199237.tif 000002
【特許請求の範囲】
【請求項１】
車両に設けられた撮影装置からの映像および記録媒体上のデータが示す位置マークを表示装置に表示させる表示制御装置であって、
前記位置マークの表示位置に対する前記映像の表示位置を前記車両の中心位置に対する前記撮影装置で撮影される位置に対応させて前記映像を前記表示装置に表示させる制御手段を備えた表示制御装置。
【請求項２】
前記制御手段は、前記映像の回動方向を前記位置マークの回動方向に合わせて前記映像を前記表示装置に表示させることを特徴とする請求項１に記載の表示制御装置。
【請求項３】
車両に設けられた撮影装置からの映像および記録媒体上のデータに対応する位置マークを表示装置に表示させる表示制御装置であって、
前記位置マークの表示位置に対する前記映像の表示位置を前記車両の中心位置に対する前記撮影装置の撮影視点に対応させて前記映像を前記表示装置に表示させる制御手段を備えた表示制御装置。
【請求項４】
前記制御手段は、前記映像の回動方向を前記位置マークの回動方向に合わせて前記映像を前記表示装置に表示させることを特徴とする請求項３に記載の表示制御装置。
【請求項５】
請求項１乃至請求項４の何れかに記載の表示制御装置を備えたナビゲーション装置。
【発明の詳細な説明】
【技術分野】
【０００１】
本発明は、表示制御装置に関し、例えば、車両に設けられた撮影装置によって撮影された映像を表示装置に表示させる表示制御装置に関するものである。
【背景技術】
【０００２】
従来の表示制御装置は、図１０（ａ）に示すように、車両右側方が撮影されて得られた映像５０を表示装置の画面右側５１に表示させ、図１０（ｂ）に示すように、車両左側方が撮影されて得られた映像５２を表示装置の画面左側５３に表示させることによって、表示装置に表示された映像が車両に対してどの方向から得られたものなのかを利用者に認識しやすくしていた（例えば、特許文献１参照）。
【特許文献１】特開２００３−１６５９５号公報（第４−５頁、第３−４図）
【発明の開示】
【発明が解決しようとする課題】
【０００３】
しかしながら、従来の表示制御装置においては、映像が車両に対して左右いずれの撮影方向から得られたものなのかを利用者に認識しやすくすることができるものの、車両前方や車両後方等の他の撮影方向から得られた映像に対して、撮影方向を利用者に認識させることができないといった問題があった。
【０００４】
本発明は、従来の問題を解決するためになされたもので、様々な撮影方向から得られた映像に対して、撮影方向を利用者に認識させることができる表示制御装置を提供することを目的とする。
【課題を解決するための手段】
【０００５】
本発明の表示制御装置は、車両に設けられた撮影装置からの映像および記録媒体上のデータが示す位置マークを表示装置に表示させる表示制御装置であって、
前記位置マークの表示位置に対する前記映像の表示位置を前記車両の中心位置に対する前記撮影装置で撮影される位置に対応させて前記映像を前記表示装置に表示させる制御手段を備えた構成を有している。
【０００６】
この構成により、本発明の表示制御装置は、位置マークの表示位置に対する映像の表示位置を車両の中心位置に対する撮影装置で撮影される位置に対応させて映像を表示させるため、様々な撮影方向から得られた映像に対して、撮影方向を利用者に認識させることができる。
【０００７】
なお、前記制御手段は、前記映像の回動方向を前記位置マークの回動方向に合わせて前記映像を前記表示装置に表示させるようにしてもよい。
【０００８】
この構成により、本発明の表示制御装置は、映像の回動方向を位置マークの回動方向に合わせて映像を表示させるため、撮像方向を利用者に認識させることができる。
【０００９】
また、本発明の表示制御装置は、車両に設けられた撮影装置からの映像および記録媒体上のデータに対応する位置マークを表示装置に表示させる表示制御装置であって、
前記位置マークの表示位置に対する前記映像の表示位置を前記車両の中心位置に対する前記撮影装置の撮影視点に対応させて前記映像を前記表示装置に表示させる制御手段を備えた構成を有している。
【００１０】
この構成により、本発明の表示制御装置は、位置マークの表示位置に対する映像の表示位置を車両の中心位置に対する撮影装置の撮影視点に対応させて映像を表示させるため、様々な撮影方向から得られた映像に対して、撮影方向を利用者に認識させることができる。
【００１１】
なお、前記制御手段は、前記映像の回動方向を前記位置マークの回動方向に合わせて前記映像を前記表示装置に表示させるようにしてもよい。
【００１２】
この構成により、本発明の表示制御装置は、映像の回動方向を位置マークの回動方向に合わせて映像を表示させるため、撮像方向を利用者に認識させることができる。
【００１３】
また、本発明のナビゲーション装置は、前記表示制御装置を備えた構成を有している。
【００１４】
この構成により、本発明のナビゲーション装置は、様々な撮影方向から得られた映像に対して、撮影方向を利用者に認識させることができる。
【発明の効果】
【００１５】
本発明は、様々な撮影方向から得られた映像に対して、撮影方向を利用者に認識させることができるという効果を有する表示制御装置を提供するものである。
【発明を実施するための最良の形態】
【００１６】
以下、本発明の実施の形態について、図面を参照して説明する。
【００１７】
なお、本実施の形態においては、本発明に係る表示制御装置を車両に搭載されるナビゲーションシステムに適用し、本発明に係る表示制御装置を構成する制御手段をＣＰＵ（Central Processing Unit）を用いて構成した例について説明する。
【００１８】
本発明の一実施の形態のナビゲーションシステムを図１に示す。
【００１９】
ナビゲーションシステム１は、ＣＰＵ２と、ＲＯＭ（Read Only Memory）３と、ＲＡＭ（Random Access Memory）４と、ハードディスク装置等の大容量記憶装置５と、ＤＶＤ（Digital Versatile Disc）等の着脱可能な記録媒体から情報を読み込むメディアドライブ６と、キーボード、ポインティングデバイスおよびタッチパネル等によって構成された入力装置７と、液晶ディスプレイ等の表示装置を構成するディスプレイ装置８と、ＧＰＳ（Global Positioning System）アンテナで受信した複数の衛星から送出された電波に基づいて現在位置の緯度および経度を測るＧＰＳ受信機９と、自車の進行方位を検出するジャイロ１０と、自車の車輪の回転数に基づいて車速を検知する車速センサ１１と、ＶＩＣＳ（Vehicle Information and Communication System）情報を受信および復号するためのＦＭ（Frequency Modulation）受信機１２と、車両外部を撮影する撮影装置を構成するカメラ１３乃至１５とを備えている。
【００２０】
ＣＰＵ２は、ディスプレイ装置８の表示を制御するための表示制御プログラム等を含むプログラムをＲＯＭ３や大容量記憶装置５からＲＡＭ４に読み込み、ＲＡＭ４に読み込まれたプログラムを実行することによって、ディスプレイ装置８の表示等のようなナビゲーションシステム１の各機能を制御するようになっている。
【００２１】
大容量記憶装置５には、上記プログラムの他に地図情報、車両の走行履歴および経路探索データの履歴等が記憶される。
【００２２】
ここで、地図情報には、道路、交差点、建造物および河川などの地物を表す情報および各地物に関する説明や広告等の情報を含む地物情報や、道路の車線数や一方通行などの交通規制に関する道路情報等が含まれる。例えば、地図情報は、プログラムを実行するＣＰＵ２によってＤＶＤ等からメディアドライブ６を介して大容量記憶装置５に読み込まれる。
【００２３】
また、走行履歴は、例えば、ＧＰＳ受信機９によって得られた自車の位置、ジャイロ１０によって検出された自車の進行方位、および、車速センサ１１によって検知された自車の車速に基づいて、プログラムを実行するＣＰＵ２によって生成される。また、経路探索データは、利用者によって入力装置７を介して設定された出発地から目的地までの経路を表す。
【００２４】
カメラ１３乃至１５は、図２に示すように、車両前部、車両左側のドアミラー２０および車両後部にそれぞれ設けられ、車両前方、車両左側後方および車両後方をそれぞれ撮影するようになっている。また、カメラ１３は、広角に撮影できるよう、プリズムカメラや広角カメラ等によって構成されている。
【００２５】
なお、本実施形態において、３台のカメラ１３乃至１５を用いたが、本発明に用いられるカメラの台数および撮影方向を限定するものではない。
【００２６】
以上のように構成されたナビゲーションシステム１において、図３乃至図８を用いてその動作を説明する。
【００２７】
なお、本実施の形態において、表示制御プログラムを実行するＣＰＵ２は、ヘディングアップモードおよびノースアップモードの２つの表示モードをとり、これらの表示モードは、例えば、利用者による入力装置７を介した入力等に基づいて切り替わる。
【００２８】
図３（ａ）に示すように、ＣＰＵ２は、ヘディングアップモードにある場合には、ディスプレイ装置８の画面上方を車両前方としたナビゲーション情報を表示させる。
【００２９】
ここで、ナビゲーション情報は、地図情報に含まれる地物情報、経路探索データ、自車の位置を表す位置マーク、および、ＶＩＣＳ情報から得られた渋滞状況や交通規制等の交通情報や広告情報等を含む。なお、位置マークは、三角形などの多角形や円、自車を概ね表した画像などを以って表示される。
【００３０】
例えば、ディスプレイ装置８の画面上には、ＧＰＳ受信機９によって得られた自車の位置に基づいて特定された範囲の地図情報に基づいた地図３０が表示され、地図３０上に位置マーク３１、および、特定の地物を表すランドマークや経路探索データ等が表示される。
【００３１】
一方、図３（ｂ）に示すように、ＣＰＵ２は、ノースアップモードにある場合には、ディスプレイ装置８の画面上方を北としたナビゲーション情報を表示させる。
【００３２】
図４は、表示制御プログラムを実行するＣＰＵ２の映像表示制御動作を説明するためのフロー図である。
【００３３】
まず、ＣＰＵ２は、走行状態を検出する（Ｓ１）。ここで、走行状態は、左折、右折、後進またはＴ字路合流等のことをいい、車両に設けられた方向指示器やトランスミッションの状態、地図情報、ＧＰＳ受信機９によって得られた自車の位置、ジャイロ１０によって検出された自車の進行方位、および、車速センサ１１によって検知された自車の車速等に基づいてＣＰＵ２によって検出される。
【００３４】
次に、ＣＰＵ２は、検出した走行状態に基づいて映像表示タイミングであるか否かを判断する（Ｓ２）。具体的には、ＣＰＵ２は、検出した走行状態が図５に示すようなカメラ切替規則にあるか否かによって映像表示タイミングであるか否かを判断する。
【００３５】
映像表示タイミングであると判断した場合には、ＣＰＵ２は、カメラ１３乃至１５の何れかを選択する（Ｓ３）。具体的には、ＣＰＵ２は、検出した走行状態と対応するカメラをカメラ切替規則に基づいて選択する。
【００３６】
次に、ＣＰＵ２は、表示モードを選択し（Ｓ４）、ディスプレイ装置８の画面上における映像の表示位置を決定する（Ｓ５）。具体的には、ＣＰＵ２は、位置マークの表示位置に対して、車両に対するカメラ１３乃至１５の撮影方向に応じて定まる方向にある位置に映像の表示位置を決定する。
【００３７】
例えば、表示モードがヘディングアップモードでカメラ１３が選択された場合には、図６（ａ）に示すように、位置マーク３１に対して上方に映像３２が表示されるように映像３２の表示位置が決定される。
【００３８】
また、表示モードがヘディングアップモードでカメラ１４が選択された場合には、図６（ｂ）に示すように、位置マーク３１に対して左方に映像３２が表示されるように映像３２の表示位置が決定される。
【００３９】
また、表示モードがヘディングアップモードでカメラ１５が選択された場合には、図６（ｃ）に示すように、位置マーク３１に対して下方に映像３２が表示されるように映像３２の表示位置が決定される。
【００４０】
また、表示モードがノースアップモードでカメラ１３が選択され、右方を車両前方として位置マーク３１がディスプレイ装置８の画面に表示されている場合には、図６（ｄ）に示すように、位置マーク３１に対して右方に映像３２が表示されるように映像３２の表示位置が決定される。
【００４１】
また、表示モードがノースアップモードでカメラ１４が選択され、右方を車両前方として位置マーク３１がディスプレイ装置８の画面に表示されている場合には、図６（ｅ）に示すように、位置マーク３１に対して上方に映像３２が表示されるように映像３２の表示位置が決定される。
【００４２】
また、表示モードがノースアップモードでカメラ１５が選択され、右方を車両前方として位置マーク３１がディスプレイ装置８の画面に表示されている場合には、図６（ｆ）に示すように、位置マーク３１に対して左方に映像３２が表示されるように映像３２の表示位置が決定される。
【００４３】
なお、図７（ａ）乃至（ｆ）にそれぞれ示すように、ＣＰＵ２は、決定した映像の表示位置に応じて、映像の表示領域を広くとれるよう、位置マーク３１、すなわち、ナビゲーション情報の表示位置を変位させるようにしてもよい。
【００４４】
図４において、ＣＰＵ２は、ディスプレイ装置８の画面上の決定した表示位置に映像を表示させる（Ｓ６）。例えば、図８（ａ）に示すように、表示モードがヘディングアップモードでカメラ１４が選択された場合には、ディスプレイ装置８の画面上の位置マーク３２の左方にカメラ１４によって得られた映像３２が表示される。
【００４５】
なお、図８（ｂ）に示すように、表示モードがノースアップモードの場合には、ＣＰＵ２は、各カメラ１３乃至１５の撮影方向に応じて各映像を回転処理してディスプレイ装置８の画面上に表示するようにしてもよい。
【００４６】
このような本発明の一実施の形態のナビゲーションシステムによれば、位置マークの表示位置に対して、撮影方向に応じて定まる方向に映像を表示させるため、様々な撮影方向から得られた映像に対して、撮影方向を利用者に認識させることができる。
【００４７】
なお、ナビゲーション情報がディスプレイ装置８の画面上に３次元で表示される場合でも、本発明に係る表示制御装置は、図９に示すように、位置マーク３１の表示位置に対して、車両に対するカメラ１３乃至１５の撮影方向に応じて定まる方向にある位置に映像３２を表示させることができる。
【産業上の利用可能性】
【００４８】
以上のように、本発明にかかる表示制御装置は、様々な撮影方向から得られた映像に対して、撮影方向を利用者に認識させることができるという効果を有し、例えば、車両に設けられた撮影装置によって撮影された映像を表示装置に表示させる表示制御装置等として有用である。
【図面の簡単な説明】
【００４９】
【図１】本発明の一実施の形態におけるナビゲーションシステムのブロック図
【図２】本発明の一実施の形態におけるナビゲーションシステムを構成するカメラの設置位置の例を示す概念図
【図３】本発明の一実施の形態におけるナビゲーションシステムを構成するＣＰＵの各表示モードにおける地図画面の表示例を示すイメージ
【図４】本発明の一実施の形態におけるナビゲーションシステムを構成するＣＰＵの映像表示制御動作を説明するためのフロー図
【図５】本発明の一実施の形態におけるナビゲーションシステムのカメラ切替規則の説明図
【図６】本発明の一実施の形態におけるナビゲーションシステムを構成するディスプレイ装置の画面に表示される映像の第１の表示位置例を示す概念図
【図７】本発明の一実施の形態におけるナビゲーションシステムを構成するディスプレイ装置の画面に表示される映像の第２の表示位置例を示す概念図
【図８】本発明の一実施の形態におけるナビゲーションシステムを構成するディスプレイ装置の画面の第１の表示例を示すイメージ
【図９】本発明の一実施の形態におけるナビゲーションシステムを構成するディスプレイ装置の画面の第２の表示例を示すイメージ
【図１０】従来の表示制御装置を構成するディスプレイ装置の画面の表示例を示すイメージ
【符号の説明】
【００５０】
１  ナビゲーションシステム
２  ＣＰＵ
３  ＲＯＭ
４  ＲＡＭ
５  大容量記憶装置
６  メディアドライブ
７  入力装置
８  ディスプレイ装置
９  ＧＰＳ受信機
１０  ジャイロ
１１  車速センサ
１２  ＦＭ受信機
１３、１４、１５  カメラ
【図１】
2006199237.tif 000003
【図２】
2006199237.tif 000004
【図３】
2006199237.tif 000005
【図４】
2006199237.tif 000006
【図５】
2006199237.tif 000007
【図６】
2006199237.tif 000008
【図７】
2006199237.tif 000009
【図８】
2006199237.tif 000010
【図９】
2006199237.tif 000011
【図１０】
2006199237.tif 000012